(57)【要約】【課題】載置台に載置した携帯型電子機器の角度を所望の角度に調整する。【解決手段】クレイドル１１の載置部１１ａと基台部１１ｂを回動ヒンジ１１ｃで回動可能に連結し、載置部１１ａにデジタルスチルカメラ１０を載置した状態で、載置部１１ａを回動させる。【選択図】      図１
2005086500.tif 000002
【特許請求の範囲】
【請求項１】
携帯型電子機器を載置する載置部と、
この載置部を回動可能に支持する基台と、
前記載置部に設けられた、前記携帯型電子機器と電気的に接続されるコネクタ部と
を具備することを特徴とする載置台。
【請求項２】
さらに前記基台に対する前記載置部の角度範囲を検出する検出手段と、
この検出手段が検出した角度範囲の情報を出力する出力手段を備えたことを特徴とする請求項１に記載の載置台。
【請求項３】
携帯型電子機器およびこの携帯型電子機器を載置する載置台とを有するシステムにあって、
前記載置台は、
前記携帯型電子機器を載置する載置部と、
この載置部を回動可能に支持する基台と、
前記基台に対する前記載置部の角度範囲を検出する検出手段と、
この検出手段が検出した角度範囲の情報を出力する出力手段と
を具備し、
前記携帯型電子機器は、
被写体を撮像する撮像手段と、
前記載置台の載置部に載置された状態で、前記出力手段が出力した角度範囲の情報を取得する取得手段と、
この取得手段が取得した角度範囲が第１の角度範囲であった場合に、前記撮像手段による撮像を行なう撮像制御手段と
を具備したことを特徴とする撮像システム。
【請求項４】
前記携帯型電子機器は、
前記撮像手段が撮像して得た被写体画像を記録する記録手段と、
この記録手段に記録した被写体画像を表示する表示手段と、
前記取得手段が取得した角度範囲が第２の角度範囲であった場合に、前記表示手段による前記被写体画像の表示を行なう表示制御手段と
を具備したことを特徴とする請求項３に記載の撮像システム。
【請求項５】
前記載置台は、
外部電源に接続する電源接続具を具備し、
前記携帯型電子機器は、
二次電池と、
前記取得手段が取得した角度範囲が第３の角度範囲であって、かつ、前記載置台の電源接続具が外部電源に接続された状態にある場合に、前記電源接続具を介して前記外部電源から得た電力を前記二次電池に供給するよう制御する充電制御手段と
を具備したことを特徴とする請求項３に記載の撮像システム。
【請求項６】
外部の機器と接続する載置台とを有するシステムにあって、
前記携帯型電子機器は、
前記載置台が、前記外部の機器と接続されているか否かを判別する判別手段と、
前記取得手段が取得した角度範囲が第１の角度範囲であって、前記判別手段が、前記載置台が前記外部の機器に接続されていると判別した場合に、前記撮像手段が撮像して得た被写体画像を前記外部の機器に出力する出力制御手段と
を具備したことを特徴とする請求項３に記載の撮像システム。
【請求項７】
載置部、この載置部を回動可能に支持する基台、この基台に対する前記載置部の角度を検出する検出手段、及びこの検出手段が検出した角度範囲の情報を出力する出力手段を備えた載置台に載置する携帯型電子機器であって、
被写体を撮像する撮像手段と、
前記載置台の載置部に載置された状態で、前記出力手段が出力した角度範囲の情報を取得する取得手段と、
この取得手段が取得した角度範囲が第１の角度範囲であった場合に、前記撮像手段による撮像を行なう撮像制御手段と
を具備したことを特徴とする携帯型電子機器。
【請求項８】
前記撮像手段が撮像して得た被写体画像を記録する記録手段と、
この記録手段に記録した被写体画像を表示する表示手段と、
この取得手段が取得した角度範囲が第２の角度範囲であった場合に、前記表示手段による前記被写体画像の表示を行なう表示制御手段と
を具備したことを特徴とする請求項７に記載の携帯型電子機器。
【請求項９】
外部電源に接続する電源接続具を備えた載置台に載置する携帯型電子機器であって、
二次電池と、
前記取得手段が取得した角度範囲が第３の角度範囲であって、かつ、前記載置台の接続具が外部電源に接続された状態にある場合に、前記電源接続具を介して、前記外部電源から得た電力を前記二次電池に供給するよう制御する充電制御手段と
を具備したことを特徴とする請求項７に記載の携帯型電子機器。
【請求項１０】
外部の機器と接続する載置台に載置する携帯型電子機器であって、
前記載置台が、前記外部の機器と接続されているか否かを判別する判別手段と、
前記取得手段が取得した角度範囲が第１の角度範囲であって、前記判別手段が、前記載置台が前記外部の機器に接続されていると判別した場合に、前記撮像手段が撮像して得た被写体画像を前記外部の機器に出力する出力制御手段と
を具備したことを特徴とする請求項７に記載の携帯型電子機器。
【発明の詳細な説明】
【技術分野】
【０００１】
本発明は、デジタルスチルカメラ等の携帯型電子機器を載置する載置台、この載置台と携帯型電子機器とでなる撮像システムおよび携帯型電子機器に関する。
【背景技術】
【０００２】
近時、デジタルスチルカメラ、またはカメラ付き携帯電話機などの撮影機機能付きポータブル電子機器が広く普及している。
【０００３】
ポータブル電子機器のうち、例えば、薄型の筐体でなるカード型デジタルスチルカメラ（以下、単に、カメラと称して説明する）は、市販の三脚に固定するための三脚取り付け部を筐体の底部に設けることができないので、この底面以外の箇所に三脚取り付け部を設けたものが存在する（例えば、特許文献１参照）。
【特許文献１】特開２０００−２８４３５７号公報
【発明の開示】
【発明が解決しようとする課題】
【０００４】
しかしながら、例えば、テーブル上に置かれた被写体を撮影する場合には、当該テーブル上に三脚を設置すると、被写体に対して上方の視線位置から撮影することになり、水平方向から被写体を撮影することが出来ない。そこで、カメラの位置を固定して被写体を水平方向から撮影するために、充電台を兼ねたクレイドル（載置台）にカメラを載置し、この載置した状態で撮影を行なうことが考えられる。
【０００５】
クレイドルには、カメラをクレイドルに載置させた状態で、当該カメラ内のメモリに記録した画像を液晶表示部により表示する場合に、この表示する画像をユーザに見やすくするために、当該カメラが傾斜するようになっているものが存在する。
【０００６】
しかし、この載置した状態ではクレイドルに対するカメラの角度が固定されているため、被写体を水平方向から撮影することが出来ない。つまり、クレイドルに対するカメラの角度を、撮影時および画像表示時などの各使用形態に適した角度に調整することはできなかった。
【０００７】
本発明は前記のような実情に鑑みてなされたもので、その目的とするところは、載置した携帯型電子機器の角度を所望の角度に調整することが可能になる載置台、撮像システムおよび携帯型電子機器を提供することにある。
【課題を解決するための手段】
【０００８】
請求項１記載の発明は、携帯型電子機器を載置する載置部と、この載置部を回動可能に支持する基台と、前記載置部に設けられた、前記携帯型電子機器と電気的に接続されるコネクタ部とを具備することを特徴とする。
【０００９】
請求項２記載の発明は、前記請求項１記載の発明において、さらに前記基台に対する前記載置部の角度範囲を検出する検出手段と、この検出手段が検出した角度範囲の情報を出力する出力手段を備えたことを特徴とする。
【００１０】
請求項３記載の発明は、携帯型電子機器およびこの携帯型電子機器を載置する載置台とを有するシステムにあって、前記載置台は、前記携帯型電子機器を載置する載置部と、この載置部を回動可能に支持する基台と、前記基台に対する前記載置部の角度範囲を検出する検出手段と、この検出手段が検出した角度範囲の情報を出力する出力手段とを具備し、前記携帯型電子機器は、被写体を撮像する撮像手段と、前記載置台の載置部に載置された状態で、前記出力手段が出力した角度範囲の情報を取得する取得手段と、この取得手段が取得した角度範囲が第１の角度範囲であった場合に、前記撮像手段による撮像を行なう撮像制御手段とを具備したことを特徴とする。
【００１１】
請求項４記載の発明は、前記請求項３記載の発明において、前記携帯型電子機器は、前記撮像手段が撮像して得た被写体画像を記録する記録手段と、この記録手段に記録した被写体画像を表示する表示手段と、前記取得手段が取得した角度範囲が第２の角度範囲であった場合に、前記表示手段による前記被写体画像の表示を行なう表示制御手段とを具備したことを特徴とする。
【００１２】
請求項５記載の発明は、前記請求項３記載の発明において、前記載置台は、外部電源に接続する電源接続具を具備し、前記携帯型電子機器は、二次電池と、前記取得手段が取得した角度範囲が第３の角度範囲であって、かつ、前記載置台の電源接続具が外部電源に接続された状態にある場合に、前記電源接続具を介して前記外部電源から得た電力を前記二次電池に供給するよう制御する充電制御手段とを具備したことを特徴とする。
【００１３】
請求項６記載の発明は、前記請求項３記載の発明において、外部の機器と接続する載置台とを有するシステムにあって、前記携帯型電子機器は、前記載置台が、前記外部の機器と接続されているか否かを判別する判別手段と、前記取得手段が取得した角度範囲が第１の角度範囲であって、前記判別手段が、前記載置台が前記外部の機器に接続されていると判別した場合に、前記撮像手段が撮像して得た被写体画像を前記外部の機器に出力する出力制御手段とを具備したことを特徴とする。
【００１４】
請求項７記載の発明は、載置部、この載置部を回動可能に支持する基台、この基台に対する前記載置部の角度を検出する検出手段、及びこの検出手段が検出した角度範囲の情報を出力する出力手段を備えた載置台に載置する携帯型電子機器であって、被写体を撮像する撮像手段と、前記載置台の載置部に載置された状態で、前記出力手段が出力した角度範囲の情報を取得する取得手段と、この取得手段が取得した角度範囲が第１の角度範囲であった場合に、前記撮像手段による撮像を行なう撮像制御手段とを具備したことを特徴とする。
【００１５】
請求項８記載の発明は、前記請求項７記載の発明において、前記撮像手段が撮像して得た被写体画像を記録する記録手段と、この記録手段に記録した被写体画像を表示する表示手段と、この取得手段が取得した角度範囲が第２の角度範囲であった場合に、前記表示手段による前記被写体画像の表示を行なう表示制御手段とを具備したことを特徴とする。
【００１６】
請求項９記載の発明は、前記請求項７記載の発明において、外部電源に接続する電源接続具を備えた載置台に載置する携帯型電子機器であって、二次電池と、前記取得手段が取得した角度範囲が第３の角度範囲であって、かつ、前記載置台の接続具が外部電源に接続された状態にある場合に、前記電源接続具を介して、前記外部電源から得た電力を前記二次電池に供給するよう制御する充電制御手段とを具備したことを特徴とする。
【００１７】
請求項１０記載の発明は、前記請求項７記載の発明において、外部の機器と接続する載置台に載置する携帯型電子機器であって、前記載置台が、前記外部の機器と接続されているか否かを判別する判別手段と、前記取得手段が取得した角度範囲が第１の角度範囲であって、前記判別手段が、前記載置台が前記外部の機器に接続されていると判別した場合に、前記撮像手段が撮像して得た被写体画像を前記外部の機器に出力する出力制御手段とを具備したことを特徴とする。
【発明の効果】
【００１８】
請求項１記載の発明によれば、載置台の載置部を回動可能に支持する基台を備え、さらに、載置部に携帯型電子機器を電気的に接続されるコネクタ部を備えているので、載置台の載置部に携帯型電子機器を搭載すれば、携帯型電子機器に電源を供給しながら、載置台に対する携帯型電子機器の角度を所望の角度に調整することができる。
【００１９】
請求項２記載の発明によれば、前記請求項１記載の発明の効果に加えて、基台に対する携帯型電子機器の角度範囲を検出し、この検出した角度範囲の情報を出力するので、この角度範囲の情報を携帯型電子機器に出力すれば、携帯型電子機器に対する、角度範囲に応じた制御を行なうことができる。
【００２０】
請求項３記載の発明によれば、載置台の載置部に携帯型電子機器を載置して、基台に対する載置部の角度を調整した場合、この調整した角度が第１の角度範囲にあれば、携帯型電子機器の撮像手段による撮像を行なうように制御するので、第１の角度範囲を撮像に適した角度範囲とすれば、被写体の撮像を容易に行なうことができる。
【００２１】
請求項４記載の発明によれば、前記請求項３記載の発明の効果に加えて、載置台の載置部に携帯型電子機器を載置して、基台に対する載置部の角度を調整した場合、この調整した角度が第２の角度範囲にあれば、携帯型電子機器の表示手段による被写体画像の表示を行なうように制御するので、第２の角度範囲を被写体画像の表示に適した角度範囲とすれば、被写体画像の表示を容易に行なうことができる。
【００２２】
請求項５記載の発明によれば、前記請求項３記載の発明の効果に加えて、載置台の載置部に携帯型電子機器を載置して、基台に対する載置部の角度を調整した場合、この調整した角度が第３の角度範囲にあれば、外部電源から得た電力を携帯型電子機器の二次電池に供給するので、第３の角度範囲を充電に適した角度範囲とすれば、二次電池の充電を容易に行なうことができる。
【００２３】
請求項６記載の発明によれば、前記請求項３記載の発明の効果に加えて、載置台の載置部に携帯型電子機器を載置して、かつ、基台に対する載置部の角度を調整し、この調整した角度が第１の角度範囲にあれば、撮像手段が撮像して得た被写体画像を外部の機器に出力するので、第１の角度範囲を被写体画像の出力に適した角度範囲とすれば、被写体画像の外部の機器への出力を容易に行なうことができる。
【００２４】
請求項７記載の発明によれば、載置台の載置部に携帯型電子機器を載置して、基台に対する載置部の角度を調整した場合、この調整した角度が第１の角度範囲にあれば、撮像手段による撮像を行なうように制御するので、第１の角度範囲を撮像に適した角度範囲とすれば、被写体の撮像を容易に行なうことができる。
【００２５】
請求項８記載の発明によれば、前記請求項７記載の発明の効果に加えて、載置台の載置部に携帯型電子機器を載置して、基台に対する載置部の角度を調整した場合、この調整した角度が第２の角度範囲にあれば、携帯型電子機器の表示手段による被写体画像の表示を行なうように制御するので、第２の角度範囲を被写体画像の表示に適した角度範囲とすれば、被写体画像の表示を容易に行なうことができる。
【００２６】
請求項９記載の発明によれば、前記請求項７記載の発明の効果に加えて、載置台の載置部に携帯型電子機器を載置して、基台に対する載置部の角度を調整した場合、この調整した角度が第３の角度範囲にあれば、外部電源から得た電力を二次電池に供給するので、第３の角度範囲を充電に適した角度範囲とすれば、二次電池の充電を容易に行なうことができる。
【００２７】
請求項１０記載の発明によれば、前記請求項７記載の発明の効果に加えて、載置台の載置部に携帯型電子機器を載置して、かつ、基台に対する載置部の角度を調整し、この調整した角度が第１の角度範囲にあれば、撮像手段が撮像して得た被写体画像を外部の機器に出力するので、第１の角度範囲を被写体画像の出力に適した角度範囲とすれば、被写体画像の外部の機器への出力を容易に行なうことができる。
【発明を実施するための最良の形態】
【００２８】
以下本発明をデジタルスチルカメラとその充電台を兼ねたクレイドルとからなるシステムに適用した実施の一形態について図面を参照して説明する。  
図１は、本発明の実施の一形態に係るデジタルスチルカメラ１０を、クレイドル（載置台）１１に載置した状態の外観構成を示す図である。図２は、図１に示したデジタルスチルカメラ１０を載置しない状態のクレイドル１１の外観構成を示す図である。
【００２９】
図１に示すように、デジタルスチルカメラ１０は、その背面側が手前になるようにクレイドル１１に載置することで、内蔵する電池の充電を実行できるだけでなく、このクレイドル１１を図示しないＵＳＢ（Ｕｎｉｖｅｒｓａｌ  Ｓｅｒｉａｌ  Ｂｕｓ）ケーブルを介して例えばパーソナルコンピュータと接続することで、静止画像データ等の送受が可能であるものとする。本実施の形態では、ＵＳＢの転送方式は、転送帯域を確保してデータの遅延を回避するためのアイソクロナス転送が用いられる。
【００３０】
デジタルスチルカメラ１０は、例えばタバコの箱程度のサイズの金属外装を有する筐体でなり、その上面に電源キー１２及びシャッタキー１３を配設する。  
また、デジタルスチルカメラ１０の背面には、モードキー１４、光学ファインダ１５、フォーカスインジケータ１６、ストロボインジケータ１７、表示部１８、ズームキー１９、メニュー（ＭＥＮＵ）キー２０、リングキー２１、セット（ＳＥＴ）キー２２、及びディスプレイ（ＤＩＳＰ）キー２３が配設される。また、デジタルスチルカメラ１０における図示しない正面には撮影レンズ、及びストロボ発光部が配設される。ストロボ発光部は、撮影レンズの撮影範囲をカバーするべくストロボ光を照射する。
【００３１】
電源キー１２は、デジタルスチルカメラ１０の電源をオン／オフする。  
シャッタキー１３は、基本モードである撮影モード時に操作することで静止画像または動画像の撮影を実行する。  
モードキー１４は、基本モードである撮影モード（ＲＥＣ）と再生モード（ＰＬＡＹ）とをスライド操作により切換えるためのキースイッチで、図１では再生モード側に設定されている。
【００３２】
光学ファインダ１５は、被写体像の視野を光学的に視認するためのものである。  
フォーカスインジケータ１６は、光学ファインダ１５の近傍に配置され、ユーザが光学ファインダ１５を覗いている状態でフォーカスがロックしたことを例えば赤色のＬＥＤの点灯により表示する。
【００３３】
ストロボインジケータ１７は、光学ファインダ１５の近傍に配置され、ユーザが光学ファインダ１５を覗いている状態でストロボの充電が完了したことを例えば緑色のＬＥＤの点灯により表示する。
【００３４】
表示部１８は、バックライトを有する例えば対角２インチ程度のサイズのカラーＴＦＴ液晶パネルで構成され、撮影モードではその時点で撮影しようとしている画像をモニタ表示する一方で、再生モード時にはこのデジタルスチルカメラ１０の記録媒体である内蔵メモリ又はメモリカード（後述）から読み出された静止画像、又は動画像を選択的に再生する。
【００３５】
ズームキー１９は、撮影モード時に撮影レンズの焦点距離を望遠（Ｔ）側あるいは広角（Ｗ）側に無段階で可変させる。  
メニューキー２０は、各種モード設定等をメニュー項目として表示部１８に表示させる。  
リングキー２１は、リング状操作キーの操作位置により、表示部１８に表示される項目を上下左右各方向へ変更させるものであり、その中央に位置するセットキー２２で、選択されているメニュー項目を選択設定する。
【００３６】
ディスプレイキー２３は、表示部１８での表示のオン／オフを切換え、また表示部１８での表示形態を切換える。  
また、デジタルスチルカメラ１０の図示しない底面には、ＵＳＢコネクタ（メス）が埋設される。
【００３７】
図１に示すように、クレイドル１１は、載置部１１ａ、基台部１１ｂおよび回動ヒンジ１１ｃを備える。  
図３は、図１に示したクレイドル１１の載置部１１ａおよび基台部１１ｂを矢印Ａの方向からみた図である。なお、図３では、説明のために載置部１１ａと基台部１１ｂに間隔を設けて図示しているが、実際には載置部１１ａの側面１１ｄと基台部１１ｂの側面１１ｅとは当接される。
【００３８】
回動ヒンジ１１ｃは、基台部１１ｂと載置部１１ａを、基台部１１ｂに対する載置部１１ａの角度が図３に示す状態から矢印Ｂまたは矢印Ｃの示す方向にそれぞれ４５°の角度範囲で回動可能になるように連結する。なお、前述した角度範囲は特に限定されるものではない。
【００３９】
載置部１１ａの側面１１ｄには、接触端子１１ｇ，１１ｈおよび１１ｉが設けられる。また、基台部１１ｂの側面１１ｅには、接触端子１１ｊ、１１ｋおよび１１ｍが設けられる。これら接触端子の機能については後述する。
【００４０】
図４は、図１に示したクレイドル１１を矢印Ａの方向からみた側面図である。  
基台部１１ｂは、その内部に角度調整ネジ１１ｎを備える。この角度調整ネジ１１ｎには、ツマミ１１ｐが取り付けられる。ツマミ１１ｐは、クレイドル１１の外部に突出する。ユーザは、このツマミ１１ｐを操作することで角度調整ネジ１１ｎを回転させる。
【００４１】
載置部１１ａの底部は円弧状であり、この底部には突起部１１ｑが形成される。本実施の形態では、突起部１１ｑは、載置部１１ａの底部の円弧部分の中央に形成される。この突起部１１ｑは、基台部１１ｂの角度調整ネジ１１ｎと歯合する。この場合、前述した載置部１１ａの円弧状の底部は、ウォーム歯車として機能し、角度調整ネジ１１ｎはウォームとして機能する。
【００４２】
角度調整ネジ１１ｎを時計回りの方向に回転させると、クレイドル１１の載置部１１ａは矢印Ｂで示した方向に回動する。また、角度調整ネジ１１ｎを反時計回りの方向に回転させると、載置部１１ａは矢印Ｃで示した方向に回動する。
【００４３】
図５〜図７は、図３で示したクレイドル１１の載置部１１ａにデジタルスチルカメラ１０を載置した状態の例を、矢印Ａの方向からみた図である。  
図５に示した状態は、基台部１１ｂに対する載置部１１ａの角度が、前述した回動範囲の中央の角度である状態（以下、デフォルト状態と称して説明する）である。デフォルト状態で、デジタルスチルカメラ１０を載置部１１ａに載置した場合、このデジタルスチルカメラ１０の側面１０ａは、基台部１１ｂの底面１１ｒに対して矢印Ｂの方向に傾斜している。
【００４４】
図６に示した状態は、デフォルト状態から角度調整ネジ１１ｎを時計回りの方向に回転させ、載置部１１ａを、矢印Ｂの示す方向の回動範囲に回動させた状態である。この状態では、デジタルスチルカメラ１０の側面１０ａは、図５に示した状態と比較して、矢印Ｂの方向にさらに傾斜する。
【００４５】
側面１０ａに対向する側面１０ｂには、表示部１８（図１参照）が設けられる。図６に示した状態では、側面１０ｂに設けられた表示部１８が基台部１１ｂに対して斜め上方を向いているので、ユーザは、表示部１８に表示させた画像を斜め上方の視線位置から見ることができる。
【００４６】
図７に示した状態は、デフォルト状態から角度調整ネジ１１ｎを反時計回りの方向に回転させ、載置部１１ａを、矢印Ｃの示す方向の回動範囲に回動させた状態である。図７に示した状態では、デジタルスチルカメラ１０の側面１０ａが、基台部１１ｂの底面１１ｒに対して直角に位置する。側面１０ａには撮影レンズ１０ｃが設けられる。よって、図７に示した状態では、被写体を水平方向から撮影するのことができる。
【００４７】
クレイドル１１には、図１及び図２に示したように、ＰＨＯＴＯキー２４、ＵＳＢキー２５、充電（ＣＨＡＲＧＥ）インジケータ２６、及びＵＳＢインジケータ２７が設けられる他、図２に示したように、載置部１１ａのデジタルスチルカメラ１０の載置位置に、ＵＳＢコネクタ（オス）３０が設けられる。このＵＳＢコネクタ３０は、デジタルスチルカメラ１０のクレイドル１１への載置に際して、デジタルスチルカメラ１０への充電と、データ転送のための端子である。
【００４８】
クレイドル１１の載置部１１ａにデジタルスチルカメラ１０を載置して、クレイドル１１のＡＣコード３１（図２参照）を家庭内のコンセントに接続することで、デジタルスチルカメラ１０内に設けられる充電池の充電を行なうことができる。充電を実行している際には充電インジケータ２６が点灯する。
【００４９】
また、前記ＰＨＯＴＯキー２４を操作することで、デジタルスチルカメラ１０内に記録されているデータファイルが静止画像データファイルである場合には、この静止画像データ中の静止画像を表示部１８で再生表示し、デジタルスチルカメラ１０及びこれを載置したクレイドル１１を電子的なフォトスタンド（写真立て）として使用できる。
【００５０】
デジタルスチルカメラ１０内に記録されたデータファイルが動画データファイルである場合には、当該動画データファイル中の動画像情報を表示部１８で再生することができる。
【００５１】
加えて、デジタルスチルカメラ１０を載置したクレイドル１１を、図示しないパーソナルコンピュータ（ＰＣ）等の情報機器とＵＳＢケーブル３２（図２参照）を用いて接続し、ＵＳＢキー２５を操作することで、デジタルスチルカメラ１０と該情報機器との間での画像データの転送を容易に実行できるものとする。これらのデータの転送時には、ＵＳＢインジケータ２７が点灯する。
【００５２】
図８は、図１に示したデジタルスチルカメラ１０をクレイドル１１に載置した状態で、書画カメラとして使用する場合の例を示す図である。  
デジタルスチルカメラ１０は、撮影した被写体画像を、例えばプロジェクタ等の外部機器に出力する書画カメラ機能を有している。具体的には、まず、デジタルスチルカメラ１０をクレイドル１１に載置して、クレイドル１１のＵＳＢケーブル３２をプロジェクタ２８に接続する。そして、デジタルスチルカメラ１０により被写体６５を撮影すると、撮影された被写体画像のデータがＵＳＢケーブル３２を介してプロジェクタ２８に出力される。プロジェクタ２８は、デジタルスチルカメラ１０から出力された被写体画像データを取得し、これをスクリーン２９に投影する。
【００５３】
図９は、図１に示したデジタルスチルカメラ１０に設けられる電子回路の構成を示すブロック図である。  
同図に示すように、基本モードである撮影モードにおいては、モータ（Ｍ）４１の駆動により合焦位置や絞り位置が移動される、撮影レンズを含むレンズ光学系４２の撮影光軸後方に配置された撮像素子であるＣＣＤ４３が、タイミング発生器（ＴＧ）４４、垂直ドライバ４５によって走査駆動され、一定周期毎に結像した光像に対応する光電変換出力を１画面分出力する。
【００５４】
この光電変換出力は、アナログ値の信号の状態でＲＧＢの各原色成分毎に適宜ゲイン調整された後に、サンプルホールド回路（Ｓ／Ｈ）４６でサンプルホールドされ、Ａ／Ｄ変換器４７でデジタルデータに変換され、カラープロセス回路４８で画素補間処理及びγ補正処理を含むカラープロセス処理が行なわれて、デジタル値の輝度信号Ｙ及び色差信号Ｃｂ，Ｃｒが生成され、ＤＭＡ（Ｄｉｒｅｃｔ  Ｍｅｍｏｒｙ  Ａｃｃｅｓｓ）コントローラ４９に出力される。
【００５５】
ＤＭＡコントローラ４９は、カラープロセス回路４８から出力された輝度信号Ｙ及び色差信号Ｃｂ，Ｃｒを、同じくカラープロセス回路４８から出力された複合同期信号、メモリ書込みイネーブル信号、及びクロック信号を用いて一度ＤＭＡコントローラ４９内部のバッファに書込み、ＤＲＡＭインタフェース（Ｉ／Ｆ）５０を介してバッファメモリとして使用されるＤＲＡＭ５１にＤＭＡ転送を行なう。
【００５６】
制御部５２は、ＣＰＵと、後述するデータ再生処理時の処理を含む該ＣＰＵで実行される動作プログラムを固定的に記憶したＲＯＭ、及びワークメモリとして使用されるＲＡＭ等を備えており、このデジタルスチルカメラ１０全体の制御動作を司るもので、前記輝度及び色差信号のＤＲＡＭ５１へのＤＭＡ転送終了後に、この輝度及び色差信号をＤＲＡＭインタフェース５０を介してＤＲＡＭ５１より読み出し、ＶＲＡＭコントローラ５３を介してＶＲＡＭ５４に書込む。
【００５７】
デジタルビデオエンコーダ５５は、前記輝度及び色差信号をＶＲＡＭコントローラ５３を介してＶＲＡＭ５４より定期的に読み出し、これらのデータを元にビデオ信号を発生して前記表示部１８に出力する。
【００５８】
この表示部１８は、前述した如く撮影モード時にはモニタ表示部（電子ファインダ）として機能するもので、デジタルビデオエンコーダ５５からのビデオ信号に基づいた表示を行なうことで、その時点でＶＲＡＭコントローラ５３から取込んでいる画像情報に基づく画像をリアルタイムに表示することとなる。
【００５９】
このように表示部１８にその時点での画像がモニタ画像としてリアルタイムに表示されている状態で、静止画撮影を行ないたいタイミングでキー入力部５６を構成する前記シャッタキー１３を操作すると、トリガ信号を発生する。
【００６０】
制御部５２は、このトリガ信号に応じてその時点でＣＣＤ４３から取込んでいる１画面分の輝度及び色差信号のＤＲＡＭ５１へのＤＭＡ転送の終了後、直ちにＣＣＤ４３からのＤＲＡＭ５１への経路を停止し、記録保存の状態に遷移する。
【００６１】
この記録保存の状態では、制御部５２がＤＲＡＭ５１に書込まれている１フレーム分の輝度及び色差信号をＤＲＡＭインタフェース５０を介してＹ，Ｃｂ，Ｃｒの各コンポーネント毎に縦８画素×横８画素の基本ブロックと呼称される単位で読み出してＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）回路５７に書込み、このＪＰＥＧ回路５７でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００６２】
そして、得た符号データを１画像のデータファイルとして該ＪＰＥＧ回路５７から読み出し、このデジタルスチルカメラ１０の記録媒体として着脱自在に装着されるメモリカード５８か、またはこのデジタルスチルカメラ１０に固定的に内蔵される内蔵メモリ５９のいずれか一方に書込む。
【００６３】
この際、メモリカード５８または内蔵メモリ５９に書込む画像データファイルに関しては、例えばシャッタキー１３の操作時に図示せぬ時計部から得られる日付と時刻の情報（以下、タイムスタンプと称して説明する）が関連付けて記録される。
【００６４】
そして、１フレーム分の輝度及び色差信号の圧縮処理及びメモリカード５８または内蔵メモリ５９への全圧縮データの書込み終了に伴なって、制御部５２はＣＣＤ４３からＤＲＡＭ５１への経路を再び起動する。
【００６５】
また、制御部５２にはさらに、ＵＳＢインタフェース（Ｉ／Ｆ）６１、及びストロボ駆動部６２が接続される。  
ＵＳＢインタフェース６１には、ＵＳＢコネクタ（メス）６４が接続される。ＵＳＢコネクタ６４は、デジタルスチルカメラ１０の底面に埋設されたコネクタである。  
ＵＳＢインタフェース６１は、ＵＳＢコネクタ６４を介して有線接続される情報端末装置、例えばパーソナルコンピュータとの間で、静止画像データ、又は動画像データ等の送受を行なう場合の通信制御を行なう。
【００６６】
さらに、図１で示した如くデジタルスチルカメラ１０をクレイドル１１に載置した場合には、このクレイドル１１を介してＵＳＢケーブル３２（図２参照）で接続されるパーソナルコンピュータ等の外部の情報機器との間で、ＵＳＢインタフェース６１が静止画像データ、動画像データ等の送受を行なう場合の通信制御を行なう。  
ストロボ駆動部６２は、静止画像撮影時に図示しないストロボ用の大容量コンデンサを充電した上で、制御部５２からの制御に基づいてストロボ発光部６３を閃光駆動する。
【００６７】
なお、キー入力部５６は、前述したシャッタキー１３の他に、電源キー１２、モードキー１４、ズームキー１９、メニューキー２０、リングキー２１、セットキー２２、及びディスプレイキー２３等を備え、これらのキー操作に伴なう信号は直接制御部５２へ送出される。
【００６８】
しかるに、静止画像ではなく動画像の撮影時においては、キー入力部５６のシャッタキー１３が操作され続けている間、前述した静止画像データをＪＰＥＧ回路５７でデータ圧縮した静止画データファイルのメモリカード５８または内蔵メモリ５９への記録を時間的に連続して実行し、該シャッタキー１３の操作が終わるか、または所定の制限時間、例えば３０秒が経過した時点でそれら一連の静止画データファイルを順次ＪＰＥＧ回路５７でデータ圧縮した後、データ圧縮した一連の静止画データを一括してモーションＪＰＥＧフォーマットの動画像データファイルを生成し、シャッタキー１３操作時の日時のタイムスタンプを関連付けて、メモリカード５８または内蔵メモリ５９に記録する。
【００６９】
また、基本モードである再生モード時には、制御部５２がメモリカード５８または内蔵メモリ５９に記録されている画像データファイルを選択的に読み出し、ＪＰＥＧ回路５７で撮影モード時にデータ圧縮した手順と全く逆の手順で、圧縮されている画像データを伸長し、伸長した画像データを、ＤＲＡＭインタフェース５０を介してＤＲＡＭ５１に保持させた上で、このＤＲＡＭ５１の保持内容をＶＲＡＭコントローラ５３を介してＶＲＡＭ５４に記憶させ、このＶＲＡＭ５４より定期的に画像データを読み出してビデオ信号を発生し、前記表示部１８で再生出力させる。
【００７０】
再生モード時に選択したデータファイルが静止画データファイルではなく動画像データファイルであった場合、この動画像データを構成する個々の静止画像データの再生を時間的に連続して実行し、すべての静止画像データの再生を終了した時点で、次に再生の指示がなされるまで先頭に位置する静止画像データのみを用いて再生表示する。
【００７１】
なお、図示はしないがこのデジタルスチルカメラ１０は当然ながら電池駆動で動作するもので、前記クレイドル１１に載置することで充電される充電池を有しているものとする。
【００７２】
続いて図１０で前記クレイドル１１内の回路構成について示す。この回路は、クレイドル１１の載置部１１ａに備えられる。クレイドル１１は、このクレイドル１１全般の制御を司る制御部７１を中心として、この制御部７１にＵＳＢインタフェース（Ｉ／Ｆ）７２、充電制御部７３、キー入力部７４、インジケータ部７５及び角度検出部７６が接続される。角度検出部７６は、図３に示した接触端子１１ｇ，１１ｈおよび１１ｉと電気的に接続される。
【００７３】
ＵＳＢインタフェース７２は、ＵＳＢケーブル３２を介して外部に接続される前記プロジェクタ２８および図示しないパーソナルコンピュータ等の情報端末装置と、前記ＵＳＢコネクタ３０に接続されるデジタルスチルカメラ１０との間で送受される画像データ等の転送制御を行なう。
【００７４】
充電制御部７３は、前記ＡＣコード３１を介してその先端のＡＣプラグ７７を図示しない家庭内のコンセントに接続した場合に得られるＡＣ電源を整流し、このクレイドル１１各回路へ必要な電圧の直流電源に変圧して供給する一方で、このクレイドル１１の載置部１１ａに載置されるデジタルスチルカメラ１０へ前記ＵＳＢコネクタ３０の電力線を介して充電用の直流電源を供給する。
【００７５】
キー入力部７４は、前記ＰＨＯＴＯキー２４及びＵＳＢキー２５からなり、これらのキー入力は制御部７１へ直接入力される。  
インジケータ部７５は、前記充電インジケータ２６及びＵＳＢインジケータ２７からなり、制御部７１からの制御信号に基づいて点灯発光する。
【００７６】
次に前記実施の形態の動作について説明する。  
図１１および図１２は、図１に示したデジタルスチルカメラ１０をクレイドル１１の載置部１１ａに載置した状態における、各種モード処理を示すフローチャートである。この処理は、主として制御部５２が実行する。
【００７７】
まず、デジタルスチルカメラ１０の制御部５２は、当該デジタルスチルカメラ１０が、クレイドル１１の載置部１１ａに載置されたか否かを判別する（ステップＳ１）。これは、デジタルスチルカメラ１０のＵＳＢコネクタ６４が、クレイドル１１のＵＳＢコネクタ３０と嵌合しているか否かをコネクタ端子の接続状態で判別する。
【００７８】
デジタルスチルカメラ１０がクレイドル１１の載置部１１ａに載置されたと判別されると、クレイドル１１の角度検出部７６は、基台部１１ｂに対する載置部１１ａの角度範囲を検出する。これは、基台部１１ｂの接触端子１１ｍが載置部１１ａの接触端子１１ｇと接触する状態にあるか、基台部１１ｂの接触端子１１ｋが載置部１１ａの接触端子１１ｈと接触する状態にあるか、または、基台部１１ｂの接触端子１１ｊが載置部１１ａの接触端子１１ｉと接触する状態にあるかにより検出する。
【００７９】
そして、角度検出部７６は、角度範囲の検出の結果、基台部１１ｂの接触端子１１ｍが載置部１１ａの接触端子１１ｇと接触する状態にある場合には角度範囲データ“Ａ”を、基台部１１ｂの接触端子１１ｋが載置部１１ａの接触端子１１ｈと接触する状態にある場合には角度範囲データ“Ｂ”を、基台部１１ｂの接触端子１１ｊが載置部１１ａの接触端子１１ｉと接触する状態にある場合には角度範囲データ“Ｃ”を出力し、制御部７１は、この角度範囲データをＵＳＢインタフェース７２およびＵＳＢコネクタ３０を介して、デジタルスチルカメラ１０に出力する。
【００８０】
これに対してデジタルスチルカメラ１０では、クレイドル１１から出力されてくる角度範囲データを、ＵＳＢコネクタ６４およびＵＳＢインタフェース６１を介して入力し（ステップＳ２）、制御部５２は、この入力した角度範囲データが表す角度範囲が、“Ｂ”であるか否かを判別する（ステップＳ３）。
【００８１】
このステップＳ３による判別の結果、角度範囲データが“Ｂ”であり、かつ、クレイドル１１のＡＣプラグ７７が外部電源に接続された状態にある場合（ステップＳ４のＹＥＳ）には、デジタルスチルカメラ１０は、基本モードを充電モードに設定し（ステップＳ５）、充電池への充電を指示する制御信号をＵＳＢインタフェース６１およびＵＳＢコネクタ６４を介してクレイドル１１に出力する（ステップＳ６）。
【００８２】
クレイドル１１は、角度範囲データの出力後、デジタルスチルカメラ１０から出力された充電指示信号をＵＳＢコネクタ３０およびＵＳＢインタフェース７２を介して取得するのを待機し、充電指示信号を入力した場合には、充電制御部７３は、外部電源から得たＡＣ電源を整流し、これをＵＳＢコネクタ３０の電力線を介して、デジタルスチルカメラ１０の充電池に出力する。これにより充電池への充電が開始する（ステップＳ７）。
【００８３】
充電が開始されると、デジタルスチルカメラ１０の制御部５２は、充電池の端子電圧を検出し（ステップＳ８）、この端子電圧を基準電圧値と比較して、充電池の充電が完了したか否かを判別する処理を繰り返し実行する（ステップＳ９）。ステップＳ９による判別の結果、充電池の充電が完了した場合には、充電を停止する（ステップＳ１０）。
【００８４】
前記ステップＳ３による判別の結果、クレイドル１１から入力した角度範囲データが表す角度範囲が“Ｂ”でなかった場合には、角度範囲が“Ａ”であるか否かを判別する（ステップＳ１１）。
【００８５】
このステップＳ１１による判別の結果、角度範囲データが“Ａ”である場合には、デジタルスチルカメラ１０は、基本モードを再生モードに設定する（ステップＳ１２）。  
再生モードが設定されると、以後、クレイドル１１のＰＨＯＴＯキー２４が操作されるのを待機する（ステップＳ１３）。  
なお、ステップＳ１３は省略しても良く、角度範囲データが“Ａ”である場合には自動的に次のステップＳ１４へ移っても良い。
【００８６】
ＰＨＯＴＯキー２４が操作された場合には、これをデジタルスチルカメラ１０が認識し、メモリカード５８または内蔵メモリ５９に記憶される静止画像データファイルおよび動画像データファイルの中から、最新の日時のタイムスタンプが関連付けられたファイルを選択して読み出す（ステップＳ１４）。
【００８７】
そして、この読み出したファイルが動画像データファイルであった場合には、前述したように、動画像データファイルの動画像部分のデータを伸長し、読み出したファイルが静止画像データファイルであった場合には、この静止画像データを前述したように伸長して表示部１８により予めユーザ設定した一定時間、例えば５秒間表示させる（ステップＳ１５）。
【００８８】
次に、ステップＳ１５によりファイルが再生されている状態で、再生が終了したか否か（ステップＳ１６）、デジタルスチルカメラ１０のリングキー２１による左右の操作がなされたか否か（ステップＳ１７）、クレイドル１１のＰＨＯＴＯキー２４が操作されたか否か（ステップＳ１８）を繰り返し判別して、これらのいずれかの状態になるのを待機する。
【００８９】
前記ステップＳ１６で、ファイルの再生が終了したと判別した場合には、他の再生対象のデータファイルがメモリカード５８および内蔵メモリ５９に記録されているか否かを判別する（ステップＳ１９）。他の再生対象のデータファイルとは、デジタルスチルカメラ１０をクレイドル１１へ載置した後に一度も再生していないデータファイルである。
【００９０】
そして、他の再生対象のデータファイルがメモリカード５８または内蔵メモリ５９に存在する場合（ステップＳ１９のＹＥＳ）には、該当する再生対象のデータファイルを自動的に選択して読み出す（ステップＳ２０）。ここでは、直前に選択されたデータファイルに関連付けられたタイムスタンプの日時より前で、かつ、最も近い日時のタイムスタンプが関連付けられたファイルが次の再生対象のデータファイルとなる。また、他の再生対象のデータファイルが無い場合、つまり、デジタルスチルカメラ１０をクレイドル１１へ載置した後にメモリカード５８および内蔵メモリ５９に記録されているデータファイルを全て再生した場合には、前記ステップＳ１９でこれを判別し、前記ＰＨＯＴＯキー２４の操作に対応した一連の処理を終了する。
【００９１】
前記ステップＳ１７で、デジタルスチルカメラ１０のリングキー２１による左右の操作がなされたと判別した場合には、ステップＳ１９で再生対象のファイルがあることを確認した後に、操作に対応した再生対象のデータファイルを選択して読み出す。
【００９２】
この場合、リングキー２１による右方向の操作がなされた場合には、リングキー２１の操作直前に再生していたデータファイルに関連付けられたタイムスタンプの日時より後で、かつ、最も近い日時のタイムスタンプが関連付けられたデータファイルがあれば、これを選択し、リングキー２１による左方向の操作がなされた場合には、リングキー２１の操作直前に再生していたファイルに関連付けられたタイムスタンプの日時より前で、かつ、最も近い日時のタイムスタンプが関連付けられたデータファイルがあれば、これを選択する（ステップＳ２０）。
【００９３】
前記ステップＳ１８で、クレイドル１１のＰＨＯＴＯキー２４が操作されたと判別した場合には、ファイル再生中に再度ＰＨＯＴＯキー２４が操作されたことになるので、クレイドル１１の制御部７１は、ファイル再生処理を停止させるための制御信号をデジタルスチルカメラ１０の制御部５２に出力する。この制御部５２は、クレイドル１１からの制御信号の入力にしたがって、ファイル再生処理を終了する。
【００９４】
ステップＳ１１による判別の結果、クレイドル１１から入力した角度範囲データが表す角度範囲が“Ａ”でもなかった場合、つまり角度範囲が“Ｃ”であった場合には、クレイドル１１のＵＳＢケーブル３２が、例えばプロジェクタ２８などの外部機器と接続されているか否かを判別する（ステップＳ２１）。ここでは、ＵＳＢケーブル３２のコネクタが、プロジェクタ２８の図示しないＵＳＢコネクタと嵌合しているか否かをコネクタ端子の接続状態で判別する。
【００９５】
ステップＳ２１による判別の結果、ＵＳＢケーブル３２がプロジェクタ２８と接続されている場合には、基本モードを書画カメラモードに設定する（ステップＳ２２）。  
書画カメラモードが設定されると、以後、クレイドル１１のＵＳＢキー２５が操作されるのを待機する（ステップＳ２３）。
【００９６】
ＵＳＢキー２５が操作されると、その時点での被写体画像（スルー画像）を出力する指示を表す制御信号を、ＵＳＢインタフェース７２およびＵＳＢコネクタ３０を介してデジタルスチルカメラ１０に出力する。デジタルスチルカメラ１０は、制御信号を取得すると、前述したように、デジタルビデオエンコーダ５５により生成したビデオ信号をクレイドル１１に出力する。クレイドル１１は、デジタルスチルカメラ１０から出力されてくるビデオ信号を入力して、これを、ＵＳＢケーブル３２を介して、プロジェクタ２８に出力する。プロジェクタ２８は、クレイドル１１から出力されてくるビデオ信号を伸長して、スクリーン２９に投影する（ステップＳ２４）。
【００９７】
デジタルスチルカメラ１０は、スルー画像を出力しながら、シャッタキー１３が操作されるのを待機する（ステップＳ２５）。  
シャッタキー１３が操作されると、撮影処理を実行し（ステップＳ２６）、撮影により得た画像データをＪＰＥＧ回路５７にてデータ圧縮した上で記録媒体であるメモリカード５８または内蔵メモリ５９に記録設定する（ステップＳ２７）。
【００９８】
そして、記録した撮影画像データを、スルー画像に代えて、ＵＳＢインタフェース６１およびＵＳＢコネクタ６４を介してクレイドル１１に出力する。クレイドル１１は、デジタルスチルカメラ１０から出力された撮影画像データをＵＳＢインタフェース７２およびＵＳＢコネクタ３０を介して取得すると、これを、ＵＳＢインタフェース７２およびＵＳＢケーブル３２を介してプロジェクタ２８に出力する（ステップＳ２８）。プロジェクタ２８は、クレイドル１１から出力されてくる撮影画像データを伸長して、スクリーン２９に投影する。
【００９９】
デジタルスチルカメラ１０は、クレイドル１１から出力された、角度範囲“Ｃ”以外の角度範囲を含んだ角度範囲データが入力されず（ステップＳ２９のＮＯ）、かつ、撮影画像データの出力後一定時間（例えば２秒）経過したと判別した場合には（ステップＳ３０のＹＥＳ）、この撮影画像データの出力を停止し、スルー画像の出力に戻る。クレイドル１１から角度範囲“Ｃ”以外の角度範囲を含んだ角度範囲データが入力されたと判別した場合には、ステップＳ３の処理に戻る。
【０１００】
ステップＳ２１による判別の結果、ＵＳＢケーブル３２がプロジェクタ２８などの外部機器と接続されていない場合には、デジタルスチルカメラ１０は、基本モードを撮影モードに設定する（ステップＳ３１）。  
撮影モードが設定されると、デジタルスチルカメラ１０は、その時点での被写体画像（スルー画像）を表示部１８に表示する（ステップＳ３２）。  
デジタルスチルカメラ１０は、スルー画像を出力しながら、シャッタキー１３が操作されるのを待機する（ステップＳ３３）。
【０１０１】
シャッタキー１３が操作されると、撮影処理を実行し（ステップＳ３４）、撮影により得た画像データをＪＰＥＧ回路５７にてデータ圧縮した上で記録媒体であるメモリカード５８または内蔵メモリ５９に記録設定する（ステップＳ３５）。  
そして、記録した撮影画像データを、スルー画像に代えて、表示部１８に表示する（ステップＳ３６）。
【０１０２】
デジタルスチルカメラ１０は、クレイドル１１から出力された、角度範囲“Ｃ”以外の角度範囲を含んだ角度範囲データが入力されず（ステップＳ３７のＮＯ）、撮影画像データの表示後一定時間（例えば２秒）経過したと判別した場合には（ステップ３８のＹＥＳ）、この撮影画像データの表示を停止し、スルー画像の表示に戻る。クレイドル１１から角度範囲“Ｃ”以外の角度範囲を含んだ角度範囲データが入力されたと判別した場合には、ステップＳ３の処理に戻る。
【０１０３】
以上、詳述した実施の形態において説明したシステムによれば、デジタルスチルカメラ１０をクレイドル１１の載置部１１ａに載置した状態で、載置部１１ａの基台部１１ｂに対する角度を調整することができるので、載置部１１ａに載置したデジタルスチルカメラ１０の基台部１１ｂに対する角度を撮影時または画像データ再生時などの各使用形態に適した角度に設定することができる。また、デジタルスチルカメラ１０を載置部１１ａに載置した状態で、載置部１１ａの基台部１１ｂに対する角度範囲を検出し、この角度に応じて、基本モードを、充電モード、再生モード、書画カメラモードおよび撮影モードの間で切り替えることができるので、基本モードの切り替えをキー操作により行なう必要が無くなる。
【０１０４】
前記撮影モードが設定されると、デジタルスチルカメラ１０をクレイドル１１に載置した状態で撮影を行なうことができるので、クレイドル１１を三脚として使用できる。前記書画カメラモードが設定されると、デジタルスチルカメラ１０をクレイドル１１に載置した状態でスルー画像または撮影画像をプロジェクタ２８に出力することができるので、クレイドル１１を書画カメラ用の台として使用できる。  
また、ステップＳ２１による判別の結果、ステップＳ３１では基本モードを撮影モードに設定するようにしたが、通常の撮影モードではなくセルフタイマー撮影モードに設定するようにしてもよい。この場合、ステップＳ３４でシャッタキー１３が操作されるとタイマーがスタートし、一定時間後に撮影処理が実行される。クレイドル１１を三脚として使用し、撮影者も写ることができるセルフタイマーの撮影が行え、また角度を調整するだけで容易にセルフタイマー撮影モードの設定が行える。
【０１０５】
また、各種モードにおいては、デジタルスチルカメラ１０をクレイドル１１に載置した状態で使用できるので、この載置した状態でクレイドル１１のＡＣコード３１を家庭内のコンセントに接続した状態にあれば、電池切れの心配が無くなる。
【０１０６】
なお、前記実施の形態は、本発明をデジタルスチルカメラとその充電台を兼ねたクレイドルとからなるシステムに適用した場合について説明したものであるが、これに限らず、例えばカメラ機能付き携帯電話器とそのクレイドル装置や、カメラ機能付きＰＤＡ（Ｐｅｒｓｏｎａｌ  Ｄｉｇｉｔａｌ  Ａｓｓｉｓｔａｎｔ：個人向け携帯情報端末）とそのクレイドル装置など、各種携帯電子機器単体、もしくはそれを含むシステム等にも本発明を適用することが可能である。
【０１０７】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【０１０８】
【図１】本発明の実施の一形態に係るデジタルスチルカメラを、充電台を兼ねたクレイドルに載置した状態の外観構成を示す図。
【図２】図１に示したデジタルスチルカメラを載置しない状態のクレイドルの外観構成を示す図。
【図３】図２に示したクレイドルを矢印Ａの方向からみた図。
【図４】図２に示したクレイドルの側面図。
【図５】図２に示したクレイドルにデジタルスチルカメラを載置した状態の側面図（その１）。
【図６】図２に示したクレイドルにデジタルスチルカメラを載置した状態の側面図（その２）。
【図７】図２に示したクレイドルにデジタルスチルカメラを載置した状態の側面図（その３）。
【図８】図２に示したクレイドルにデジタルスチルカメラを載置したシステムを書画カメラとして用いる場合の使用例を示す図。
【図９】図１に示したデジタルスチルカメラに設けられる電子回路の構成を示す図。
【図１０】図１に示したクレイドルに設けられる電子回路の構成を示す図。
【図１１】図１に示したデジタルスチルカメラおよびクレイドルによる各種制御処理を示すフローチャート（その１）。
【図１２】図１に示したデジタルスチルカメラおよびクレイドルによる各種制御処理を示すフローチャート（その２）。
【符号の説明】
【０１０９】
１０…デジタルスチルカメラ、１０ａ，１０ｂ…デジタルスチルカメラ側面、１０ｃ…撮影レンズ、１１…クレイドル、１１ａ…載置部、１１ｂ…基台部、１１ｃ…回動ヒンジ、１１ｄ…載置部側面、１１ｅ…基台部側面、１１ｇ，１１ｈ，１１ｉ，１１ｊ，１１ｋ，１１ｍ…接触端子、１１ｎ…角度調整ネジ、１１ｐ…ツマミ、１１ｑ…突起部、１１ｒ…基台部底面、１２…電源キー、１３…シャッタキー、１４…モードキー、１５…光学ファインダ、１６…フォーカスインジケータ、１７…ストロボインジケータ、１８…表示部、１９…ズームキー、２０…メニュー（ＭＥＮＵ）キー、２１…リングキー、２２…セット（ＳＥＴ）キー、２３…ディスプレイ（ＤＩＳＰ）キー、２４…ＰＨＯＴＯキー、２５…ＵＳＢキー、２６…充電（ＣＨＡＲＧＥ）インジケータ、２７…ＵＳＢインジケータ、２８…プロジェクタ、２９…スクリーン、３０…ＵＳＢコネクタ、３１…ＡＣコード、３２…ＵＳＢケーブル、４１…モータ（Ｍ）、４２…レンズ光学系、４３…ＣＣＤ、４４…タイミング発生器（ＴＧ）、４５…垂直ドライバ、４６…サンプルホールド回路（Ｓ／Ｈ）、４７…Ａ／Ｄ変換器、４８…カラープロセス回路、４９…ＤＭＡコントローラ、５０…ＤＲＡＭインタフェース（Ｉ／Ｆ）、５１…ＤＲＡＭ、５２…制御部、５３…ＶＲＡＭコントローラ、５４…ＶＲＡＭ、５５…デジタルビデオエンコーダ、５６…キー入力部、５７…ＪＰＥＧ回路、５８…メモリカード、５９…内蔵メモリ、６１…ＵＳＢインタフェース（Ｉ／Ｆ）、６２…ストロボ駆動部、６３…ストロボ発光部、６４…ＵＳＢコネクタ、６５…被写体、７１…制御部、７２…ＵＳＢインタフェース（Ｉ／Ｆ）、７３…充電制御部、７４…キー入力部、７５…インジケータ部、７６…角度検出部、７７…ＡＣプラグ。
【図１】
2005086500.tif 000003
【図２】
2005086500.tif 000004
【図３】
2005086500.tif 000005
【図４】
2005086500.tif 000006
【図５】
2005086500.tif 000007
【図６】
2005086500.tif 000008
【図７】
2005086500.tif 000009
【図８】
2005086500.tif 000010
【図９】
2005086500.tif 000011
【図１０】
2005086500.tif 000012
【図１１】
2005086500.tif 000013
【図１２】
2005086500.tif 000014